(57)【特許請求の範囲】
【請求項１】
枠組状のフレームを備えた台座に樹木の根鉢を載置せしめた状態で、該フレームに設けた係止手段に連結された緊締条片を根鉢の肩部に掛け渡すことにより該根鉢を台座に締結する植樹安定装置において、
前記係止手段は、根鉢の底部に沿わしめられる受け部２４ａと根鉢の側部に沿わしめられる抱持部２４ｂとを備えた支持部材１８により構成されると共に、該支持部材１８に緊締条片を連結せしめる連結環２３を設けており、
前記支持部材１８は、フレームに枢軸２０を介して回動自在に枢結されており、受け部２４ａをフレームの中心部に向けて上向き傾斜せしめた姿勢では抱持部２４ｂを伏臥せしめた姿勢とし、受け部２４ａをほぼ水平とした姿勢では抱持部２４ｂを起立せしめた姿勢とするように回動自在に構成されて成ることを特徴とする植樹安定装置。
【請求項２】
支持手段１８は、枢軸２０に対して回動自在な枠部材２１と、枠部材２１に対して前記枢軸と平行な連結軸２２を介して回動自在に連結された連結環２３と、枠部材２１と連結環２３の間に架設された湾曲部材２４とから構成されており、
前記枠部材２１は、枢軸２０の近傍部から、フレームの中心側に向けて内側に延びる内側部２１ａと、フレームの中心側とは反対側に向けて外側に延びる外側部２１ｂとを備え、内側部２１ａと外側部２１ｂを相互に上向きに屈折せしめて成り、
前記連結環２３は、枠部材２１の外側部２１ｂに連結軸２２を介して回動自在に連結されると共に、該連結軸２２と平行な取付軸２５を設けた構成とされ、
前記湾曲部材２４は、枠部材２１の内側部２１ａと連結環２３の取付軸２５との間に架設され、前記受け部２４ａと抱持部２４ｂを一連に構成して成ることを特徴とする請求項１に記載の植樹安定装置。
【請求項３】
連結軸２２を介して連結環２３を枠部材２１に対し回動せしめたとき、湾曲部材２４が、枠部材２１の内側部２１ａと連結環２３の取付軸２５との間において弾性変形するスプリングを構成して成ることを特徴とする請求項１又は２に記載の植樹安定装置。
【発明の詳細な説明】
【０００１】
【発明の属する技術分野】
本発明は、植樹後、所定期間にわたり樹木を安定保持せしめるために使用する樹木安定装置に関する。
【０００２】
【従来の技術】
樹木を植付ける際には、強風等に耐え得るようにするため、掘削した植付け穴の底部に植樹安定装置を設置し、その上に樹木の根鉢を載置すると共に、根鉢を植樹安定装置に縛りつけ、その後、植付け穴を埋め戻すことが行われている。
【０００３】
このような植樹安定装置は、種々のものが公知であり、通常、金属製のフレームにより枠組形成した台座を構成しており、台座に根鉢を載置した状態でフレームに係止環を係止すると共に、該係止環に連結されたスリング等の緊締条片を根鉢の肩部に掛け渡し、これにより根鉢を台座に縛りつけている。
【０００４】
一般的に、係止環は、台座を構成するフレームに外挿せしめられる矩形枠状の環状金具により構成されており、スリング等の緊締条片を該環状金具に挿通せしめると共に根鉢の肩部に掛け渡し、ウインチ等の締結手段により締結することにより、根鉢を台座に縛りつけている。
【０００５】
【発明が解決しようとする課題】
従来技術の場合、緊締条片をウインチ等で強く締結することにより根鉢を台座のフレームに縛りつけ、根鉢を台座上に固定することを目的とするが、通常、根鉢は、底部を平坦面とはしておらず、全体的に底部から側部にかけて膨隆する不規則な球面状を呈している。このため、緊締条片を強く締結しても、台座のフレームと根鉢の間における接触は、限られた面積でしかなく、十分な接触面積を有しない。
【０００６】
特に、従来の植樹安定装置における台座は、一般的に、パイプフレームを井桁状に枠組した構成であるから、フレームと根鉢の間における接触面積は、特に限定された狭いものに過ぎず、しかも、井桁状に枠組されたパイプフレームの上面は、同一水平面上に位置するように構成されているので、不規則な球面状とされた根鉢の底部が全てのフレームに対して均等に接触するとは限らない。即ち、従来技術のように、緊締条片により、根鉢を上から下に向けて台座に対し締結するだけでは、根鉢の底部は、ある部分ではフレームの上面に接触するが、他の部分ではフレームの上面に接触せずに隙間を生じる場合がある。
【０００７】
この点に関し、従来、根鉢の底部を植付け穴の内部において安定せしめるために、設置した台座の上から植付け穴に掘り起こした土（新土）を入れて盛り（盛土）、この盛土に対して根鉢の底部を馴染ませるように載置することにより、根鉢を水平状態に保持せしめ、この状態で台座と根鉢の間に掛け渡した緊締条片をウインチにより締め付けた後、植付け穴に新土を戻し（戻し土）、穴埋めしている。この際、植樹の後、植付け穴に水を入れることにより、前述の盛土や、戻し土を固めさせ、緩んだ緊締条片を再びウインチにより締め直している。
【０００８】
然しながら、このようなウインチの締め直しによっても、その後、風雨等の自然の影響を受けることにより、前述の盛土や、戻し土が更に固まり、謂ば土痩せする。特に、盛土が土痩せすることにより、根鉢とフレームの間の締結力が大幅に低下し、緊締条片に緩みを生じることになる。このため、十分に根が張るように成長する前に強風等を受けると、植樹後の樹木が傾いたり転倒するという問題がある。
【０００９】
【課題を解決するための手段】
本発明は、台座に根鉢を載置したとき、台座が根鉢を底部から側部にかけて好適に支持できる支持部材を備えており、しかも、緊締条片を締結したとき、締結力を根鉢と支持部材の間に対して好適に発揮することができ、更に、植樹後に土痩せを生じても緊締条片の緩みを確実に防止できるようにした植樹安定装置を提供するものである。
【００１０】
そこで、本発明が手段として構成したところは、枠組状のフレームを備えた台座に樹木の根鉢を載置せしめた状態で、該フレームに設けた係止手段に連結された緊締条片を根鉢の肩部に掛け渡すことにより該根鉢を台座に締結する植樹安定装置において、前記係止手段は、根鉢の底部に沿わしめられる受け部と根鉢の側部に沿わしめられる抱持部とを備えた支持部材により構成されると共に、該支持部材に緊締条片を連結せしめる連結環を設けており、前記支持部材は、フレームに枢軸を介して回動自在に枢結されており、受け部をフレームの中心部に向けて上向き傾斜せしめた姿勢では抱持部を伏臥せしめた姿勢とし、受け部をほぼ水平とした姿勢では抱持部を起立せしめた姿勢とするように回動自在に構成されて成る点にある。
【００１１】
支持手段は、枢軸に対して回動自在な枠部材と、枠部材に対して前記枢軸と平行な連結軸を介して回動自在に連結された連結環と、枠部材と連結環の間に架設された湾曲部材とから構成されており、前記枠部材は、枢軸の近傍部から、フレームの中心側に向けて内側に延びる内側部と、フレームの中心側とは反対側に向けて外側に延びる外側部とを備え、内側部と外側部を相互に上向きに屈折せしめて成り、前記連結環は、枠部材の外側部に連結軸を介して回動自在に連結されると共に、該連結軸と平行な取付軸を設けた構成とされ、前記湾曲部材は、枠部材の内側部と連結環の取付軸との間に架設され、前記受け部と抱持部を一連に構成している。
【００１２】
湾曲部材は、連結軸を介して連結環を枠部材に対し回動せしめたとき、枠部材の内側部と連結環の取付軸との間において弾性変形するスプリングを構成している。
【００１３】
【発明の実施の形態】
以下図面に基づいて本発明の好ましい実施形態を詳述する。
【００１４】
（台座におけるフレームの構成）
図１ないし図３に示すように、植樹安定装置を構成する台座１は、相互に交差して配置される第一フレーム２と第二フレーム３から構成され、第一フレーム２及び第二フレーム３は、それぞれ平行な複数本の単位フレームから構成されている。図例の場合、それぞれ２本の単位フレームを備えており、第一フレーム２は単位フレーム２ａ、２ｂにより構成され、第二フレーム３は単位フレーム３ａ、３ｂにより構成されている。尚、図例において、単位フレームは、丸パイプにより構成されているが、角パイプ、その他により構成しても良い。
【００１５】
（フレームの交差部における折曲偏位構成）
図示のように、第一フレーム２（単位フレーム２ａ、２ｂ）は、第二フレーム３に対する交差部２ｃ、２ｃから放射方向に延びる脚部２ｄ、２ｄを備え、同様に、第二フレーム３（単位フレーム３ａ、３ｂ）は、第一フレーム２に対する交差部３ｃ、３ｃから放射方向に延びる脚部３ｄ、３ｄを備えている。そこで、第一フレーム２と第二フレーム３を交差配置した状態で、それぞれの脚部２ｄ及び３ｄの上面が相互に面一となるように、交差部２ｃ、２ｃ及び３ｃ、３ｃのうち、少なくとも一方を下側に折曲偏位せしめている。図例の場合、第一フレーム２の交差部２ｃ、２ｃを単位フレームの丸パイプの直径に相当して下側に折曲偏位せしめ、これにより、第一フレーム２の交差部２ｃ、２ｃの上側に第二フレーム３の交差部３ｃ、３ｃを交差して重ね合わせたとき、両フレーム２、３の脚部２ｄ及び３ｄの上面が面一となるように構成している。然しながら、例えば、第一フレーム２の交差部２ｃ、２ｃを丸パイプの直径以上に折曲偏位せしめる場合は、第二フレーム３の交差部３ｃ、３ｃも下側に折曲偏位せしめ、全体として脚部２ｄ及び３ｄの上面が面一となるように構成すれば良い。
【００１６】
（フレームにおける単位フレームの間隔連結手段）
第一フレーム２を構成する単位フレーム２ａ、２ｂと、第一フレーム３を構成する単位フレーム３ａ、３ｂは、間隔連結手段を介して、それぞれにおける相互の間隔Ｗを変更可能となるように連結されている。即ち、図２に示すように、単位フレーム２ａ、２ｂ及び３ａ、３ｂは、それぞれにおいて相互に対向する内側部分に、伸縮自在に嵌合されたパイプ４とロッド５から構成され、パイプ４とロッド５を任意の伸縮位置において固定するセットボルトを備えた間隔連結手段６を設けている。従って、このような間隔連結手段６により、第一フレーム２の相互に連結された単位フレーム２ａ、２ｂの間隔Ｗ２と、第二フレーム３の相互に連結された単位フレーム３ａ、３ｂの間隔Ｗ３は、広狭自由に調節することができる。尚、図例の場合、間隔連結手段６は、交差部２ｃ、２ｃ及び３ｃ、３ｃに設けているが、脚部２ｄ、２ｄ及び３ｄ、３ｄに設けても良い。
【００１７】
（フレームの交差部における交差連結手段）
交差部２ｃ、２ｃ及び３ｃ、３ｃを介して交差配置された第一フレーム２及び第二フレーム３は、図１に示すように、交差連結手段７を介して、相互に交差角度を変更可能に連結されている。図例の場合、交差連結手段７は、交差部２ｃ、２ｃ及び３ｃ、３ｃを上下から挟持する上板８と下板９とから構成され、第一フレーム２と第二フレーム３を所定の交差角度θで交差せしめた状態で、両板８、９の中心部をボルト・ナット等の着脱固着手段１０により締結すると共に、両板８、９の隅部をボルト・ナット等の着脱固着手段１１により締結した構成を示している。従って、第一フレーム２と第二フレーム３は、着脱固着手段１０、１１を緩めることにより、上板８と下板９の間において交差角度θを変更することが可能であり、着脱固着手段１０、１１を締結することにより、交差角度θを固定するように上板８と下板９により挟持される。然しながら、交差連結手段７は、図示の構成に限られるものではなく、要するに、第一フレーム２と第二フレーム３を交差部分において相互に交差角度θを調節変更可能となるように連結するものであれば良い。
【００１８】
（フレームの隣り合う脚部の伸縮連結手段）
このようにして相互に交差配置され連結された第一フレーム２と第二フレーム３は、交差部２ｃ、２ｃ及び３ｃ、３ｃの周囲において、伸縮連結手段１２を介して連結されている。伸縮連結手段１２は、例えば、ターンバックルのような伸縮かつ固定自在な装置や、ダンパーのような伸縮自在な装置等から成る伸縮体１３と、伸縮体１３の両端に設けられた回動自在な連結手段１４、１４から構成されており、第一フレーム２及び第二フレーム３の取付位置に設けた取付金具１５に対して、連結手段１４を回動自在に連結せしめている。図例の場合、取付金具１５は、脚部２ｄ及び３ｄに摺動自在に外挿せしめたパイプ片にブラケットを設けた構成とされ、セットボルト（図示省略）により脚部２ｄ及び３ｄの所定位置に固定されているが、このような構成に限定されるものではない。従って、上述のように、交差連結手段７により第一フレーム２と第二フレーム３の交差角度θを変更することにより隣り合う脚部２ｄ及び３ｄの間隔が変わる場合でも、伸縮連結手段１２により脚部２ｄ及び３ｄを相互に連結できる。そして、伸縮連結手段１２は、外側（台座１の外周方向）に向けて延びる埋設板１６を設けており、後述するように台座１を植付け穴に設置した後、土砂により植付け穴を埋め戻した際、土中に埋入され、台座１を固定する。尚、図例の場合、埋設板１６は、基部１６ａと平坦部１６ｂを有する断面Ｌ形の金属板から成り、伸縮体１３に対して反転自在に取付けられている。即ち、伸縮体１３には取付金具１７が固着されており、該取付金具１７の軸部１７ａに回転自在に外挿されたスリーブ１６ｃに対して、埋設板１６の基部１６ａを固着しており、平坦部１６ｂを外側に水平姿勢となるように展開せしめた状態で、取付金具１７のストッパー１７ｂを基部１６ａに当接せしめる構成とされている。
【００１９】
（緊締条片の係止手段と根鉢の支持部材）
第一フレーム２を構成する単位フレーム２ａ、２ｂの脚部２ｄ、２ｄ、並びに第二フレーム３を構成する単位フレーム３ａ、３ｂの脚部３ｄ、３ｄには、それぞれ支持部材１８が設けられており、支持部材１８は、後述するように、根鉢を底部から側部にかけて支持する支持手段と、根鉢を締結するための緊締条片を係止せしめる係止手段として機能する。
【００２０】
図２に示すように、支持部材１８は、脚部２ｄ及び３ｄに摺動自在に外挿された座金具１９に対して、脚部に交差する横軸となる枢軸２０を介して回動自在に軸支された枠部材２１と、枠部材２１に対して前記枢軸２０と平行な連結軸２２を介して回動自在に連結された連結環２３と、枠部材２１と連結環２３の間に架設された湾曲部材２４とから構成されている。
【００２１】
枠部材２１は、枢軸２０の近傍部から、第一及び第二フレーム２、３の中心側に向けて内側に延びる内側部２１ａと、第一及び第二フレーム２、３の中心側とは反対側に向けて延びる外側部２１ｂとを備え、内側部２１ａと外側部２１ｂを相互に上向きに屈折せしめた構成とされている。
【００２２】
連結環２３は、枠部材２１の外側部２１ｂに設けられたパイプ材から成る連結軸２２に対して回動自在に連結されると共に、連結軸２２と平行なパイプ材から成る取付軸２５を該連結環２３の横杆に回動自在に設けており、連結軸２２から第一及び第二フレーム２、３の中心側とは反対側に向けて延びる環部により緊締条片のための係止部２６を構成している。
【００２３】
湾曲部材２４は、弾性変形可能なスリングロッドから成り、枠部材２１の内側部２１ａと連結環２３の取付軸２５との間に架設され、後述するように、根鉢の底部に沿わしめられる受け部２４ａと、根鉢の側部に沿わしめられる抱持部２４ｂを形成する。図例の場合、受け部２４ａと抱持部２４ｂは、一連に湾曲せしめられた構成とされている。
【００２４】
支持部材１８は、枢軸２０を介して回動自在であり、図５（Ａ）に示すように、枠部材２１の内側部２１ａと湾曲部材２４の受け部２４ａを第一及び第二フレーム２、３の中心側（交差部）に向けて上向き傾斜せしめた姿勢においては、枠部材２１の外側部２１ｂと湾曲部材２４の抱持部２４ｂを伏臥せしめた姿勢とする。この状態から、枢軸２０を介して回動せしめることにより、図５（Ｂ）に示すように、枠部材２１の内側部２１ａと湾曲部材２４の受け部２４ａをほぼ水平とした姿勢においては、枠部材２１の外側部２１ｂと湾曲部材２４の抱持部２４ｂを起立せしめた姿勢とする。この際、枠部材２１の外側部２１ｂは、第一及び第二フレーム２、３の中心側とは反対側に向けて上向き傾斜する姿勢で起立するが、連結軸２２を介して連結環２３を上向きに直立するように回動せしめると、スプリングロッドから成る湾曲部材２４は、枠部材２１の内側部２１ａと連結環２３の取付軸２５との間において、湾曲を強めるように弾性変形する。
【００２５】
（抵抗板）
第一フレーム２を構成する単位フレーム２ａ、２ｂの脚部２ｄと、第二フレーム３を構成する単位フレーム３ａ、３ｂの脚部３ｄは、それぞれの端部に、平行配置された単位フレーム２ａ、２ｂ及び３ａ、３ｂの離反方向に延びる翼状の抵抗板２７を設け、該抵抗板２７を脚部２ｄ及び３ｄよりも下位（好ましくは交差部のうち下側に位置する交差部２ｃよりも下位）に配置しており、各抵抗板２７を平行配置された単位フレーム２ａ、２ｂ及び３ｄ、３ｄの対向方向に反転自在とする反転手段２８と、該抵抗板２７の高さ位置を変更可能とする高さ調整手段２９を設けている。
【００２６】
図例の場合、図２に示すように、一対のパイプ片から成る取付金具３０、３０が脚部２ｄ及び３ｄに摺動自在に外挿され、セットボルト（図示省略）により固定されており、取付金具３０、３０に架設されたＵ形の支持金具３１と、基部３２ａと平坦部３２ｂを有する断面Ｌ形の回動金具３２により反転手段２８を構成している。即ち、支持金具３１の軸部３１ａに回転自在に外挿されたスリーブ３２ｃに対して回動金具３２の基部３２ａを固着しており、平坦部３２ｂを脚部２ｄ及び３ｄの離反方向に水平姿勢となるように展開せしめた状態で、支持金具３１のストッパー３１ｂを基部３２ａに当接せしめる構成とされている。
【００２７】
抵抗板２７は、回動金具３２の平坦部３２ｂの下方位置において、上下間隔を調節可能とするボルト・ナット等から成る高さ調整手段２９を介して連結されている。従って、回動金具３２と抵抗板２７は、図２に示すような展開状態から、回動金具３２のスリーブ３２ｃを回動せしめることにより、図３に示すような反転位置に折り畳むことが可能である。
【００２８】
（台座のジョイント用コネクタ）
第一フレーム２の脚部２ｄ、２ｄと、第二フレーム３の脚部３ｄ、３ｄには、複数の台座１を相互に連結可能とするジョイント用コネクタ３３を設けることができる。図例の場合、ジョイント用コネクタ３３は、図２に示すようなパイプ片から構成され、隣り合って敷設される台座１、１のうち、一方の台座１のジョイント用コネクタ３３に他方の台座１の脚部２ｄ又は３ｄを嵌挿せしめ、セットボルト等（図示省略）の固定手段により固着する構成とされている。このようなジョイント用コネクタ３３は、図２に示すように抵抗板２７のための取付金具３０に固着することにより設けても良く、或いは、脚部２ｄ及び３ｄ又は抵抗板２７に設けても良い。
【００２９】
（上記実施形態に基づく作用及び効果）
上記実施形態によれば、台座１を構成する第一フレーム２及び第二フレーム３は、図３に示すように、分解した状態で梱包され、保管又は運搬することができる。この際、抵抗板２７を反転することにより折り畳み、第一フレーム２と第二フレーム３を平行に重ね合わせることができるので、嵩張ることなくコンパクトである。尚、交差連結手段７及び伸縮連結手段１２は、第一フレーム２及び第二フレーム３から分解し、同梱又は別梱することができる。
【００３０】
台座１を植樹安定装置として実施するに際しては、図１に示すように、第一フレーム２と第二フレーム３を交差状に組立すると共に、交差連結手段７により連結固着することにより組付ける。同時に、第一フレーム２及び第二フレーム３の隣り合う脚部２ｄ及び３ｄを伸縮連結手段１２により連結し、更に、埋設板１６及び抵抗板２７を展開せしめた状態で、台座１を完成する。この際、単位フレーム２ａ、２ｂ及び３ａ、３ｂのそれぞれは、間隔連結手段６を介して、脚部２ｄ、２ｄ及び３ｄ、３ｄの間隔Ｗ２及びＷ３を変更可能とされているので、随時、間隔を調節すれば良い。即ち、植樹を目的とする樹木における樹齢等による根鉢の大小に応じて、脚部２ｄ、２ｄ及び３ｄ、３ｄの間隔Ｗ２及びＷ３を設定することにより、１台の台座１により根鉢の大きさに自在に対応せしめることができる。そして、第一フレーム２の交差部２ｃ、２ｃの上側に第二フレーム３の交差部３ｃ、３ｃを交差して重ね合わせ、交差連結手段７により連結した状態で、交差部２ｃ、２ｃに設けた折曲偏位の手段により、両フレーム２、３の脚部２ｄ及び３ｄは、上面を面一とする。
【００３１】
図６（Ａ）に示すように、地面に植樹を行う場合は、地面に植付け穴３４が掘削され、穴底に台座１を設置されるが、穴の形状の歪み等により、第一フレーム２と第二フレーム３を交差せしめた台座１の端部が干渉するような穴壁３４ａが存在する場合は、交差連結手段７の着脱固着手段１０、１１を緩め、図示の鎖線から実線に示すように第一フレーム２と第二フレーム３の交差角度θを変更せしめた後、交差連結手段７の着脱固着手段１０、１１を締結することにより、台座１を穴壁３４ａに干渉しない状態で穴底に設置することができる。従って、従来のように、改めて穴を拡大するように掘削作業を再開する必要はない。
【００３２】
図６（Ｂ）に示すように、例えば、屋上緑化等の目的で、比較的浅い土床に樹木を植樹する場合は、複数の台座１、１を相互に連結せしめた状態で敷設し、台座の全体的な重量増により樹木の支持を行わしめる。この点に関して、上記実施形態によれば、隣り合って敷設される台座１、１のうち、一方の台座１のジョイント用コネクタ３３に他方の台座１の脚部２ｄ又は３ｄを嵌挿せしめ、セットボルト等の固定手段により固着することができる。この際、図２に示すように、ジョイント用コネクタ３３を抵抗板２７の取付金具３０に設けた場合、一方の台座１のジョイント用コネクタ３３、３３の間隔と、他方の台座１の脚部２ｄ、２ｄ及び３ｄ、３ｄの間隔が合致せず、そのままでは脚部２ｄ、２ｄ及び３ｄ、３ｄをジョイント用コネクタ３３、３３に挿入できないことになるが、上述のように、単位フレーム２ａ、２ｂ及び３ａ、３ｂのそれぞれは、間隔連結手段６を介して、脚部２ｄ、２ｄ及び３ｄ、３ｄの間隔Ｗ２及びＷ３を変更することができるので、随時、間隔を調節することにより、一方の台座１のジョイント用コネクタ３３、３３に対して、他方の台座１の脚部２ｄ、２ｄ及び３ｄ、３ｄを挿着することができる。
【００３３】
植付け穴の穴底が起伏を有すると、台座を水平に設置することが困難となるため、植付け穴は、穴底が平坦な水平面となるように掘削しなければならない。この点に関して、上記実施形態によれば、図４に示すように、植付け穴３４の穴底が起伏を有する場合でも、高さ調整手段２９により抵抗板２７の高さ位置を調節することができるので、これにより第一フレーム２及び第二フレーム３を水平に設置せしめることが可能であり、従来のように特に穴底が水平面となるような掘削作業を必要とする煩雑はない。
【００３４】
このようにして植付け穴３４に設置された台座１は、上述のように間隔Ｗ２及びＷ３を調整された単位フレーム２ａ、２ｂ及び３ａ、３ｂにおいて、交差部分の周囲に支持部材１８を配置している。即ち、図例の場合、８個の支持部材１８が周方向に配置されている。従って、植樹すべき樹木３５の根鉢３６を台座１に載置すると、根鉢３６は、これらの支持部材１８により好適に支持される。
【００３５】
支持部材１８は、根鉢３６を載置せしめる前においては、図５（Ａ）に示すように、枠部材２１の内側部２１ａと湾曲部材２４の受け部２４ａを第一及び第二フレーム２、３の中心側（交差部）に向けて上向き傾斜せしめ、枠部材２１の外側部２１ｂと湾曲部材２４の抱持部２４ｂを伏臥せしめた姿勢とされている。この際、図示矢印Ｆで示すように、座金具１９はフレーム２、３の長手方向に摺動自在であり、支持部材１８の位置を自由に調整できる。
【００３６】
そこで、根鉢３６を載置すると、支持部材１８は、根鉢３６の重量により、枢軸２０を介して自動的に回動せしめられる。即ち、上向き傾斜姿勢とされた枠部材２１の内側部２１ａ並びに湾曲部材２４の受け部２４ａが、根鉢３６の底部を受けることにより下方に向けて回動され、図５（Ｂ）に示すように、ほぼ水平姿勢とされ、枠部材２１の外側部２１ｂ並びに湾曲部材２４の抱持部２４ｂを起立せしめる。この際、枠部材２１は、根鉢３６の荷重を受けることにより、内側部２１ａの先端部２１ｘをフレーム２、３に圧接せしめるので、座金具１９の摺動を阻止し、当該位置に支持部材１８を位置決めする。
【００３７】
従って、自立せしめられた枠部材２１の外側部２１ｂにおける連結環２３の係止部２６に対して、スリング等の緊締条片３７ａを容易に挿通せしめることができる。尚、緊締条片３７ａは、樹木３５の外周に環状に設けた緊締条片３７ｂを介して根鉢３６の肩部に掛け渡された後、ウインチ等の締結手段により締結され、根鉢３６を台座１に縛りつける。
【００３８】
この際、緊締条片３７ａの引き上げ方向の力により、連結環２３は、連結軸２２を介して、図５（Ｂ）に示すように、鎖線で示す傾斜姿勢から実線で示す上向き直立姿勢へと回動せしめられ、これにより、スプリングロッドから成る湾曲部材２４が湾曲を強めるように弾性変形する。即ち、このように弾性変形せしめられた湾曲部材２４は、実線で示す上向き直立姿勢から鎖線で示す傾斜姿勢に向けて復元しようとするスプリング力を蓄積する。尚、緊締条片３７ａの引き上げ力により、前述したようなフレーム２、３に対する枠部材２１の先端部２１ｘの圧接力が益々増すことになる。
【００３９】
その後、植付け穴３４を土砂により埋め戻し、作業を完了するが、この状態において、根鉢３６は、台座１の交差部分の周囲に配置された支持部材１８により好適に支持されている。特に、根鉢３６の底部は、支持部材１８の受け部２４ａにより支承され、根鉢３６の側部は、支持部材１８の抱持部２４ｂにより抱持されており、このように根鉢３６は、底部から側部にかけて支持部材１８により直接に支持されている。従って、時間の経過や、雨水その他の天候の影響等により、植付け穴３４の内部において土砂が固く締まるような場合でも、それにより生じる土痩せとは無関係に、常に根鉢３６を良好に支持せしめた状態を持続することができる。
【００４０】
ところで、締め付けた緊締条片３７ａが、その後、万一、緩むような現象を生じた場合においても、緊締条片３７ａを連結せしめた連結環２３には、湾曲部材２４により蓄積されたスプリング力が作用している。即ち、緊締条片３７ａが緩むとき、連結環２３は、図５（Ｂ）に実線で示す上向き直立姿勢から鎖線で示す傾斜姿勢に至るまで湾曲部材２４の復元スプリング力を作用せしめられているので、これにより、緊締条片３７ａの緩みを吸収し、常に緊締条片３７ａを緊張した状態のまま維持せしめることができる。
【００４１】
（交差連結手段の別の実施形態）
本発明に係る交差連結手段７の別の実施形態を図７に示している。同図において、第一フレーム２及び第二フレーム３を構成するそれぞれの単位フレーム２ａ、２ｂ及び３ａ、３ｂは、それぞれの間隔Ｗ２及びＷ３を変更できないように固定した状態で連結されている。連結方法は問わないが、図例の場合、単位フレーム間に架設した連結パイプ３８を溶接している。そこで、第一フレーム２は、交差部２ｃ、２ｃを第一連結板３９により連結され、第二フレーム３は、交差部３ｃ、３ｃを第二連結板４０により連結されており、第一連結板３９の上に第二連結板４０を重ね合わせた状態で、相互に回動自在かつ固定自在となるように交差連結手段７により固着されている。
【００４２】
交差連結手段７は、第一連結板３９と第二連結板４０のほぼ中央部を貫通して着脱自在に固着するボルト・ナットから成る軸手段４１と、第二連結板４０に形成されたガイド孔４２と、第一連結板３９から起立してガイド孔４２を挿通するボルト・ナットから成る案内固定手段４３とから構成されている。前記ガイド孔４２は、軸手段４１を中心として円弧を描く細長い孔とされており、従って、第一連結板３９と第二連結板４０は、相互に軸手段４１の軸回りに回動自在であり、その際、案内固定手段４３がガイド孔４２に沿って移動し、これにより第一フレーム２と第二フレーム３の交差角度θを自在に変更する。そして、交差角度θが設定された後、軸手段４１及び／又は案内固定手段４３のボルト・ナットを締着すれば、第一連結板３９と第二連結板４０が回動不能に固着される。尚、これらのボルト・ナットを取外すと、第一連結板３９と第二連結板４０が相互に離脱され、第一フレーム２と第二フレーム３を分解できる点は、図３に示した実施形態と同様である。
【００４３】
（支持部材の別の実施形態）
本発明に係る支持部材１８の別の実施形態を図７及び図８に示している。支持部材１８は、枢軸２０を備えた枠部材２１と、該枠部材２１に対して前記枢軸２０と平行な連結軸２２を介して回動自在に連結された連結環２３と、枠部材２１と連結環２３の間に架設された湾曲部材２４とから構成されており、このような基本的な構成は、上述した実施形態における支持部材１８と同様である。
【００４４】
図７に示すように、枠部材２１は、枢軸２０をフレームの脚部２ｄ、２ｄ（３ｄ、３ｄ）の下側を横断するように配置せしめており、枢軸２０の両端部から、第一フレーム２、３の中心側となる内側に向けて脚部２ｄ（３ｄ）の上方に延びる内側部２１ａと、前記中心側とは反対側に向けて脚部２ｄ（３ｄ）の上方に延びる外側部２１ｂとを備え、内側部２１ａと外側部２１ｂを相互に上向きに屈折せしめた構成とされている。
【００４５】
連結環２３は、枠部材２１の外側部２１ｂに回動自在に連結されたパイプ材から成る連結軸２２と、該連結軸２２の両端近傍に交差して延設された平行な一対の支持杆２２ａ、２２ａから構成されており、支持杆２２ａ、２２ａに摺動自在に外挿せしめたパイプ材から成るスライド部材２５ａ、２５ａを相互に取付軸２５により連結せしめている。更に、一対のスライド部材２５ａ、２５ａに架設され回動自在に軸支されたロッドにより、緊締条片のための係止部２６が構成されている。
【００４６】
湾曲部材２４は、枠部材２１の内側部２１ａと連結環２３の取付軸２５との間に架設され、後述するように、根鉢の底部に沿わしめられる受け部２４ａと、根鉢の側部に沿わしめられる抱持部２４ｂを、一連に湾曲せしめられた構成とされており、好ましくは、図７に示すように、取付軸２５に対して折曲ループ部により形成された長孔２４ｃを介して連結されている。
【００４７】
支持部材１８は、図８（Ａ）に示すように、枢軸２０をフレーム２、３の下側に位置せしめ、枠部材２１の先端部２１ｘ及び連結軸２２をフレーム２、３の上側に位置せしめられており、湾曲部材２４と共に連結環２３を伏臥せしめた状態において、図示矢印Ｒで示すように、フレーム２、３の長手方向に摺動自在とされている。従って、支持部材１８の位置は、自由に調整可能である。
【００４８】
支持部材１８をフレーム２、３の所定位置に設置した状態で、根鉢３６を載置すると、内側に向けて上向き傾斜姿勢とされていた枠部材２１の内側部２１ａと、湾曲部材２４の受け部２４ａが、図８（Ｂ）に示すように、下向きに回動せしめられ、内側部２１ａの先端部２１ｘと枢軸２０によりフレーム２、３を上下からクランプし固定するので、支持部材１８の摺動を阻止し、当該位置に強固に固定する。
【００４９】
そこで、連結環２３の係止部２６に挿通せしめたスリング等の緊締条片３７ａを引き上げると、連結環２３が連結軸２２を介して回動しつつ起立するだけでなく、図８（Ｂ）において鎖線から実線に示すように、係止部２６の引き上げに伴い、スライド部材２５ａを支持杆２２ａに沿って上方に移動せしめ、同時に上方移動する取付軸２５により湾曲部材２４を引き上げるので、湾曲部材２４の抱持部２４ｂにより根鉢３６の側面を好適に保持することが可能になる。
【００５０】
【発明の効果】
本発明によれば、台座１に根鉢３６を載置したとき、台座１が根鉢３６を底部から側部にかけて好適に支持できる支持部材１８を備えているので、緊締条片を締結したとき、締結力を根鉢３６と支持部材１８の間に対して好適に発揮せしめながら根鉢３６を強固に支持することができる。特に、植付け穴の内部で土砂が固まることにより、土痩せを生じるような場合でも、支持部材１８により根鉢３６の底部を確実に支持できる点において優れている。更に、万一、緊締条片が緩むように作用する場合でも、蓄積された復元力により緩みを吸収するので、常に緊締条片を緊張状態のまま維持できるという効果がある。
【図面の簡単な説明】
【図１】本発明の１実施形態に係る台座の組立状態を示す斜視図である。
【図２】本発明の１実施形態の要部を拡大して示す斜視図である。
【図３】本発明の１実施形態に係る台座の分解状態を示す斜視図である。
【図４】本発明の１実施形態に係る台座を使用することにより植樹を行う方法の１例を示す断面図である。
【図５】本発明の台座における支持部材の１実施形態を示しており、（Ａ）は支持部材の常態を断面にて示す側面図、（Ｂ）は支持部材に根鉢を載置した状態を断面にて示す側面図である。
【図６】本発明に係る台座の使用例を平面から示しており、（Ａ）は台座を構成するフレームの交差角度と植付け穴との関係を示す説明図、（Ｂ）は台座を隣接状態で敷設せしめる例の説明図である。
【図７】本発明の別の実施形態の要部を示す斜視図である。
【図８】本発明の台座における支持部材の別の実施形態を示しており、（Ａ）は支持部材の常態を断面にて示す側面図、（Ｂ）は支持部材に根鉢を載置した状態を断面にて示す側面図である。
【符号の説明】
１    台座
２    第一フレーム
３    第二フレーム
２ａ、２ｂ、３ａ、３ｂ  単位フレーム
２ｃ、３ｃ  交差部
２ｄ、３ｄ  脚部
６    間隔連結手段
７    交差連結手段
１２    伸縮連結手段
１６    埋設板
１８    支持部材
１９    座金具
２０    枢軸
２１    枠部材
２１ａ  内側部
２１ｂ  外側部
２２    連結軸
２３    連結環
２４    湾曲部材
２４ａ  受部
２４ｂ  抱持部
２５    取付軸
２６    係止部
２７    抵抗板
２８    反転手段
２９    高さ調整手段
３３    ジョイント用コネクタ
３４    植付け穴
３５    樹木
３６    根鉢
３７ａ、３７ｂ  緊締条片
【図１】
0003652656.tif 000002
【図２】
0003652656.tif 000003
【図３】
0003652656.tif 000004
【図４】
0003652656.tif 000005
【図５】
0003652656.tif 000006
【図６】
0003652656.tif 000007
【図７】
0003652656.tif 000008
【図８】
0003652656.tif 000009